(57)【要約】      （修正有）【課題】汎用性が高く比較的簡易な手順で形成可能な仕切り付きの包装箱用シートを提供する。【解決手段】１枚の段ボールシートからなり、左右方向の一方側から他方側に連接され、組立時に四角筒状部を構成する第１パネル１、第２パネル２、第３パネル３及び第４パネル４と、第１パネル１及び第３パネル３の上縁から上方に延出する第１外フラップ５及び第２外フラップ６と、第２パネル２及び第４パネル４の上縁から上方に延出する第１内フラップ７及び第２内フラップ８とを備える包装箱用シートであって、第４パネル４の上縁から上方に延出する第２内フラップ８に左右方向に横断する破断容易線１４が形成されており、この破断容易線１４によって区画される第２内フラップ８の上側部分１５の左右方向の他方側端縁から他方側に延出する突片１６を有する。上側部分１５及び突片１６の境界にリード罫線が形成される。【選択図】図１
0003205536.tif 000002
【実用新案登録請求の範囲】
【請求項１】
１枚の段ボールシートからなり、
左右方向の一方側から他方側に連接され、組立時に四角筒状部を構成する第１パネル、第２パネル、第３パネル及び第４パネルと、
上記第１パネル及び第３パネルの上縁から上方に延出する第１外フラップ及び第２外フラップと、
上記第２パネル及び第４パネルの上縁から上方に延出する第１内フラップ及び第２内フラップと
を備える包装箱用シートであって、
上記第４パネルの上縁から上方に延出する第２内フラップに左右方向に横断する破断容易線が形成されており、
この破断容易線によって区画される第２内フラップの上側部分の左右方向の他方側端縁から他方側に延出する突片を有する包装箱用シート。
【請求項２】
上記上側部分及び突片の境界にリード罫線が形成されている請求項１に記載の包装箱用シート。
【請求項３】
上記第１パネル及び第３パネルの下縁から下方に延出する一対の下側外フラップ、並びに上記第２パネル及び第４パネルの下縁から下方に延出する一対の下側内フラップをさらに備え、
上記突片の延出方向長さと上記一対の下側内フラップの延出方向長さとの合計長さが、上記第１パネルの左右方向長さ以下である請求項１又は請求項２に記載の包装箱用シート。
【請求項４】
上記第１パネルの左右方向の一方側端縁に連接される糊代部をさらに備える請求項１、請求項２又は請求項３に記載の包装箱用シート。
【請求項５】
上記第１乃至第４パネルの上下方向長さよりも上記第２内フラップの延出方向長さが大きい請求項１から請求項４のいずれか１項に記載の包装箱用シート。
【考案の詳細な説明】
【技術分野】
【０００１】
本考案は、包装箱用シートに関する。
【背景技術】
【０００２】
包装箱用シートとして、左右方向に連接され、組立時に四角筒状部を構成する４つのパネルと、これらのパネルの上縁から上方に延出する４つのフラップとを有する段ボールシートが用いられている。この包装箱用シートを組み立ててなる包装箱は、物品の保管用、運送用等に広く用いられている。
【０００３】
一方、この包装箱に物品を収容するに際し、包装箱のサイズに比べて物品のサイズが小さい場合や、複数の物品を区分けして収容したいという場合がある。そのため、この包装箱に物品を収容する際に、包装箱内で物品を区画するための仕切りが用いられることがある。
【０００４】
また今日では、保管、管理等の取扱性を向上すべく包装箱に組立可能であると共に、この包装箱内を区画する仕切りを同時に形成可能な仕切り付き包装箱用シートも発案されている（特開２０１５−２２９５２１号公報参照）。
【０００５】
上記公報に記載の包装箱用シートは、一対の上側内フラップの一部を用いて仕切りを形成可能に構成されている。具体的には、この包装箱用シートは、一対の上側内フラップに左右方向に横断する破断容易線が形成されており、この破断容易線を破断することで切り離された一対の切離片を、それぞれ切離片の上縁に形成された係合切込みで十字に組み合わせることで仕切りを形成可能とされている。
【０００６】
しかしながら、上記公報に記載の包装箱用シートは、上述のように一対の上側内フラップを横断する一対の破断容易線を破断し、さらに一対の切離片を組み合わせて仕切りを形成するものであるため、仕切りの形成に手間がかかる。また、この仕切りは、十字状であるため、例えば包装箱内を２区分したい場合には使用し難く、汎用性に欠ける。
【先行技術文献】
【特許文献】
【０００７】
【特許文献１】特開２０１５−２２９５２１号公報
【考案の概要】
【考案が解決しようとする課題】
【０００８】
本考案は、このような不都合に鑑みてなされたものであり、汎用性が高く比較的簡易な手順で形成可能な仕切り付きの包装箱用シートの提供を目的とするものである。
【課題を解決するための手段】
【０００９】
上記課題を解決するためになされた本考案に係る包装箱用シートは、１枚の段ボールシートからなり、左右方向の一方側から他方側に連接され、組立時に四角筒状部を構成する第１パネル、第２パネル、第３パネル及び第４パネルと、上記第１パネル及び第３パネルの上縁から上方に延出する第１外フラップ及び第２外フラップと、上記第２パネル及び第４パネルの上縁から上方に延出する第１内フラップ及び第２内フラップとを備える包装箱用シートであって、上記第４パネルの上縁から上方に延出する第２内フラップに左右方向に横断する破断容易線が形成されており、この破断容易線によって区画される第２内フラップの上側部分の左右方向の他方側端縁から他方側に延出する突片を有する。
【００１０】
当該包装箱用シートは、第１パネルの左右方向の一方側端縁と第４パネルの左右方向の他端側端縁とを連結することで四角筒状部を有する箱型に組み立て可能に構成されている。また、当該包装箱用シートは、第４パネルの上縁から上方に延出する第２内フラップに左右方向に横断する破断容易線が形成されており、この破断容易線を破断することで切り離される切離片（第２内フラップの上側部分及び突片）によって仕切りを形成可能に構成されている。具体的には、当該包装箱用シートは、上記破断容易線によって第２内フラップの上側部分及び突片を切り離した上、この上側部分及び突片の境界を折り曲げることで、上記上側部分を包装箱組立状態における第１パネル及び第３パネル間に架け渡した状態で安定的に保持することができる。当該包装箱用シートは、このように第２内フラップに形成される破断容易線を破断した上、上記上側部分及び突片の境界を折り曲げるだけで容易に仕切りを形成することができる。また、当該包装箱用シートは、折り曲げ状態における突片の反力を利用して上側部分を包装箱内で安定的に保持することができるので、上記公報に記載の従来の仕切りのように包装箱内を４区画しなくてもよいので、仕切りの汎用性に優れる。
【００１１】
上記上側部分及び突片の境界にリード罫線が形成されているとよい。このように、上記上側部分及び突片の境界にリード罫線が形成されていることによって、上側部分及び突片の境界を容易かつ確実に折り曲げることができる。
【００１２】
上記第１パネル及び第３パネルの下縁から下方に延出する一対の下側外フラップ、並びに上記第２パネル及び第４パネルの下縁から下方に延出する一対の下側内フラップをさらに備え、上記突片の延出方向長さと上記一対の下側内フラップの延出方向長さとの合計長さが、上記第１パネルの左右方向長さ以下であるとよい。このように、上記突片の延出方向長さと上記一対の下側内フラップの延出方向長さとの合計長さが、上記第１パネルの左右方向長さ以下であることによって、上記突片を包装箱組立状態における一対の下側内フラップ間に保持することができるので、仕切りの安定性が向上する。
【００１３】
上記第１パネルの左右方向の一方側端縁に連接される糊代部をさらに備えるとよい。このように、上記第１パネルの左右方向の一方側端縁に連接される糊代部をさらに備えることによって、四角筒状部を有する箱型に組み立て易い。つまり、当該包装箱用シートは、通常第１パネルを第２パネルの内面側に折り重ね、続いて第４パネルを第３パネルの内面側に折り重ねて、糊代部を第４パネルの内面側の他端側端縁に貼着することで無端状に接続される。この点に関し、糊代部が第１パネルの左右方向の一方側端縁に連接されていることで、上記突片が第１パネルの外側に重ねられるので、この突片が第１乃至第４パネルを四角筒状に形成する際の妨げとなり難い。
【００１４】
上記第１乃至第４パネルの上下方向長さよりも上記第２内フラップの延出方向長さが大きいとよい。このように、上記第１乃至第４パネルの上下方向長さよりも上記第２内フラップの延出方向長さが大きいことによって、上記上側部分を十分に大きくして、この上側部分及び突片により構成される仕切りによって包装箱内を的確に区画することができる。
【考案の効果】
【００１５】
以上説明したように、本考案の包装箱用シートは、汎用性が高い仕切りを比較的簡易な手順で形成することができる。
【図面の簡単な説明】
【００１６】
【図１】本考案の一実施形態に係る包装箱用シートを示す模式的平面図である。
【図２】図１の包装箱用シートを無端状に接続した状態を示す模式的平面図である。
【図３】図１の包装箱用シートの仕切りの切り離し状態を示す模式的斜視図である。
【図４】図１の包装箱用シートを組み立ててなる包装箱内に仕切りを保持した状態を示す模式的斜視図である。
【考案を実施するための形態】
【００１７】
以下、適宜図面を参照しつつ、本考案の実施の形態を詳説する。
【００１８】
［包装箱用シート］
図１の包装箱用シートは、１枚の段ボールシートからなる。当該包装箱用シートは、左右方向の一方側から他方側に連接され、組立時に四角筒状部を構成する第１パネル１、第２パネル２、第３パネル３及び第４パネル４を備える。また、当該包装箱用シートは、第１パネルの上縁から上方に延出する第１外フラップ５（上側外フラップ）、第３パネルの上縁から上方に延出する第２外フラップ６（上側外フラップ）、第２パネル２の上縁から上方に延出する第１内フラップ７（上側内フラップ）及び第４パネル４の上縁から上方に延出する第２内フラップ８（上側内フラップ）を備える。また、当該包装箱用シートは、第１パネル１及び第３パネル３の下縁から下方に延出する一対の下側外フラップ９，１０、並びに第２パネル２及び第４パネル４の下縁から下方に延出する一対の下側内フラップ１１，１２を備える。さらに、当該包装箱用シートは、第１パネル１の左右方向の一方側端縁に連接される糊代部１３を備える。当該包装箱用シートは、第４パネル４の上縁から上方に延出する第２内フラップ８に左右方向に横断する破断容易線１４が形成されている。当該包装箱用シートは、破断容易線１４によって区画される第２内フラップ８の上側部分１５の左右方向の他端側端縁から他方側に延出する突片１６を有する。第１パネル１、第２パネル２、第３パネル３及び第４パネル４（以下、「第１乃至第４パネル１〜４」ともいう。）と各フラップ及び糊代部１３との境界には、折り曲げ容易線（筋押しして形成された罫線）が形成されている。なお、本明細書において「左右」とは、当該包装箱用シートを包装箱に組み立てた場合の左右を意味する。また、「上」とは、当該包装箱用シートを包装箱に組み立てた場合の上を意味し、「下」とは、その逆を意味する。
【００１９】
当該包装箱用シートに用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
第１乃至第４パネル１〜４は各々略方形状に形成されている。第１パネル１及び第３パネル３は略同形状に形成されている。また、第２パネル２及び第４パネル４は略同形状に形成されている。
【００２１】
第１乃至第４パネル１〜４の上下方向長さの下限としては、５ｃｍが好ましく、１０ｃｍがより好ましい。一方、第１乃至第４パネル１〜４の上下方向長さの上限としては、４０ｃｍが好ましく、５０ｃｍがより好ましい。第１乃至第４パネル１〜４の上下方向長さが上記下限に満たないと、当該包装箱用シートを組み立ててなる包装箱に収容できる物品が限定されるおそれがある。逆に、第１乃至第４パネル１〜４の上下方向長さが上記上限を超えると、包装箱のサイズが大きくなり過ぎて取扱性が低下するおそれがある。
【００２２】
第１パネル１及び第３パネル３の左右方向長さの下限としては、２０ｃｍが好ましく、２５ｃｍがより好ましく、３０ｃｍがさらに好ましい。一方、第１パネル１及び第３パネル３の左右方向長さの上限としては、２００ｃｍが好ましく、１８０ｃｍがより好ましく、１６０ｃｍがさらに好ましい。第１パネル１及び第３パネル３の左右方向長さが上記下限に満たないと、当該包装箱用シートを組み立ててなる包装箱に収容できる物品が限定されるおそれがある。逆に、第１パネル１及び第３パネル３の左右方向長さが上記上限を超えると、包装箱のサイズが大きくなり過ぎて取扱性が低下するおそれがある。
【００２３】
第２パネル２及び第４パネル４の左右方向長さの下限としては、１５ｃｍが好ましく、２０ｃｍがより好ましく、２５ｃｍがさらに好ましい。一方、第２パネル２及び第４パネル４の左右方向長さの上限としては、１５０ｃｍが好ましく、１３０ｃｍがより好ましく、１１０ｃｍがさらに好ましい。第２パネル２及び第４パネル４の左右方向長さが上記下限に満たないと、当該包装箱用シートを組み立ててなる包装箱に収容できる物品が限定されるおそれがある。逆に、第２パネル２及び第４パネル４の左右方向長さが上記上限を超えると、上側部分１５の左右方向長さが長くなり過ぎて、後述の仕切り１７が包装箱内において上側部分１５で意図せず折れ曲がるおそれがある。
【００２４】
第１パネル１及び第３パネル３の左右方向長さは、第２パネル２及び第４パネル４の左右方向長さよりも長い。後述するように、当該箱用シートを組み立ててなる包装箱では、第２内フラップ８の上側部分１５は第１パネル１及び第３パネル３間に架け渡された状態で保持される。そのため、この上側部分１５の左右方向長さが長くなり過ぎると、包装箱内において仕切り１７が上側部分１５で意図せず折れ曲がるおそれがある。この点、第１パネル１及び第３パネル３の左右方向長さを第２パネル２及び第４パネル４の左右方向長さよりも長くすることで、上側部分１５の左右方向長さを比較的短く抑えて包装箱内を仕切り１７でより安定的に区画することができる。
【００２５】
第１外フラップ５及び第２外フラップ６は、略同形状に形成されている。また、第１外フラップ５及び第２外フラップ６は、各々略矩形状に形成されている。第１外フラップ５及び第２外フラップ６は、第１パネル１及び第３パネル３の上縁の略全領域から連続して設けられている。そのため、第１外フラップ５及び第２外フラップ６の左右方向長さは、第１パネル１及び第３パネル３の左右方向長さと略等しい。具体的には、第１外フラップ５及び第２外フラップ６の左右方向長さの下限としては、２０ｃｍが好ましく、２５ｃｍがより好ましく、３０ｃｍがさらに好ましい。一方、第１外フラップ５及び第２外フラップ６の左右方向長さの上限としては、２００ｃｍが好ましく、１８０ｃｍがより好ましく、１６０ｃｍがさらに好ましい。
【００２６】
第１外フラップ５及び第２外フラップ６は、当該包装箱用シートを組み立ててなる包装箱において先端同士が突き合わされるよう内側に折り曲げられた状態で天面部を構成する。そのため、第１外フラップ５及び第２外フラップ６の延出方向長さ（上下方向長さ）は、第２パネル２及び第４パネル４の左右方向長さの略１／２とされている。具体的には、第１外フラップ５及び第２外フラップ６の延出方向長さの下限としては、７．５ｃｍが好ましく、１０ｃｍがより好ましく、１２．５ｃｍがさらに好ましい。一方、第１外フラップ５及び第２外フラップ６の延出方向長さの上限としては、７５ｃｍが好ましく、６５ｃｍがより好ましく、５５ｃｍがさらに好ましい。
【００２７】
第１内フラップ７及び第２内フラップ８は、略同形状に形成されている。また、第１内フラップ７及び第２内フラップ８は、各々略矩形状に形成されている。第１内フラップ７及び第２内フラップ８は、第２パネル２及び第４パネル４の上縁の略全領域から連続して設けられている。そのため、第１内フラップ７及び第２内フラップ８の左右方向長さは、第２パネル２及び第４パネル４の左右方向長さと略等しい。具体的には、第１内フラップ７及び第２内フラップ８の左右方向長さの下限としては、１５ｃｍが好ましく、２０ｃｍがより好ましく、２５ｃｍがさらに好ましい。一方、第１内フラップ７及び第２内フラップ８の左右方向長さの上限としては、１５０ｃｍが好ましく、１３０ｃｍがより好ましく、１１０ｃｍがさらに好ましい。
【００２８】
第１内フラップ７及び第２内フラップ８の延出方向長さ（上下方向長さ）は、第１外フラップ５及び第２外フラップ６の延出方向長さと等しい。
【００２９】
第２内フラップ８の延出方向長さは、第１乃至第４パネル１〜４の上下方向長さより大きいことが好ましい。当該包装箱用シートは、破断容易線１４の破断によって切り離される上側部分１５及び突片１６が仕切り１７として構成される。また、この仕切り１７は、当該包装箱用シートを組み立ててなる包装箱内で上側部分１５の上下方向が第１乃至第４パネル１〜４の上下方向と平行に保持される。そのため、当該包装箱用シートは、第１乃至第４パネル１〜４の上下方向長さよりも第２内フラップ８の延出方向長さが大きいことによって、上側部分１５の上下方向長さを十分に大きくして、この上側部分１５及び突片１６によって構成される仕切り１７によって包装箱内を的確に区画することができる。
【００３０】
上述のように、第２内フラップ８には左右方向に横断する破断容易線１４が形成されている。破断容易線１４は、第４パネル４の上縁と平行に形成されている。破断容易線１４は、ミシン目から構成されている。
【００３１】
破断容易線１４は、第２内フラップ８の上下方向中央位置よりも下方に形成されている。第２内フラップ８の上下方向長さに対する第２内フラップ８の下縁（第２内フラップ８及び第４パネル４の境界）及び破断容易線１４間の長さの比の下限としては、０．１が好ましく、０．２がより好ましい。一方、上記比の上限としては、０．４５が好ましく、０４がより好ましい。上記比が上記下限に満たないと、第２内フラップ８における破断容易線１４の下側部分の上下方向長さが不足して、この下側部分による当該包装箱用シートを組み立ててなる包装箱の上側開口の封止機能が不十分となるおそれがある。逆に、上記比が上記上限を超えると、上側部分１５の上下方向長さが不足して、当該包装箱用シートを組み立ててなる包装箱内を仕切り１７によって的確に区画できないおそれがある。
【００３２】
第１乃至第４パネル１〜４の上下方向長さに対する上側部分１５の上下方向長さの比の下限としては、０．６が好ましく、０．７がより好ましく、０．８がさらに好ましい。一方、上記比の上限としては、１であり、０．９５がより好ましい。上記比が上記下限に満たないと、当該包装箱用シートを組み立ててなる包装箱内を仕切り１７によって的確に区画できないおそれがある。逆に、上記比が上記上限を超えると、当該包装箱用シートを組み立ててなる包装箱を封函できなくなるおそれがあると共に、物品の収容及び取出作業性が低下するおそれがある。
【００３３】
突片１６は、略矩形状に形成されている。突片１６は、上側部分１５の左右方向の他端側端縁の全領域から他方側に延出している。そのため、突片１６の上下方向長さは、上側部分１５の上下方向長さと等しい。このように、突片１６が略矩形状であり、突片１６の上下方向長さが上側部分１５の上下方向長さと等しいことによって、当該包装箱用シートを組み立ててなる包装箱の底面部に対して仕切り１７を垂直に立たせ、包装箱内を安定的に区画し易い。
【００３４】
突片１６の延出方向長さ（左右方向長さ）の下限としては、１ｃｍが好ましく、２ｃｍがより好ましい。一方、突片１６の延出方向長さの上限としては、２０ｃｍが好ましく、１０ｃｍがより好ましい。突片１６の延出方向長さが上記下限に満たないと、当該包装箱用シートを組み立ててなる包装箱内において上側部分１５を第１パネル１及び第３パネル３間に架け渡した状態で安定的に保持できなくなるおそれがある。逆に、突片１６の延出方向長さが上記上限を超えると、突片１６が不要に大きくなると共に、当該包装箱用シートを製造する際の材料のロス率が高くなる。
【００３５】
上側部分１５の左右方向長さに対する突片１６の延出方向長さの比の下限としては、０．０５が好ましく、０．１がより好ましい。一方、上記比の上限としては、０．３が好ましく、０．２がより好ましい。上記比が上記下限に満たないと、当該包装箱用シートを組み立ててなる包装箱内において上側部分１５を第１パネル１及び第３パネル３間に架け渡した状態で安定的に保持できなくなるおそれがある。逆に、上記比が上記上限を超えると、突片１６が不要に大きくなると共に、当該包装箱用シートを製造する際の材料のロス率が高くなる。
【００３６】
突片１６の延出方向長さ、及び後述する一対の下側内フラップ１１，１２の延出方向長さ（上下方向長さ）の合計長さは、第１パネル１の左右方向長さ以下であることが好ましい。これにより、当該包装箱用シートを組み立ててなる包装箱内に仕切り１７を挿入した状態で、突片１６を一対の下側内フラップ１１，１２間に保持することができるので、仕切り１７の安定性が向上する。
【００３７】
上側部分１５及び突片１６の境界には折り曲げ容易線１８が形成されている。また、この折り曲げ容易線１８は、リード罫線であることが好ましい。このリード罫線は、１又は複数のスリットと、シート材の一方側面を筋押しして形成される１又は複数の罫線とが相互に接続されることで形成されている。具体的には、本実施形態におけるリード罫線は、上側部分１５及び突片１６の境界の上下方向中央部に形成される１つのスリットと、シート材の内面を筋押しして形成され、このスリットの上下に配される一対の罫線とによって構成されている。当該包装箱用シートは、このように上側部分１５及び突片１６の境界にリード罫線が形成されていることによって、このリード罫線に沿って上側部分１５及び突片１６の境界を容易かつ確実に折り曲げることができ、当該包装箱用シートを組み立ててなる包装箱内に仕切り１７を安定的に保持することができる。
【００３８】
糊代部１３は、上述のように第１パネル１の左右方向の一方側端縁に連接されている。当該包装箱用シートは、糊代部１３が第１パネル１の左右方向の一方側端縁に連接されていることによって、四角筒状部を有する箱型に組み立て易い。つまり、当該包装箱用シートは、通常第１パネル１を第２パネル２の内面側に折り重ね、続いて第４パネル４を第３パネル３の内面側に折り重ねて、糊代部１３を第４パネル４の内面側の他端側端縁に貼着することで無端状に接続される。この点に関し、糊代部１３が第１パネル１の左右方向の一方側端縁に連接されていることで、突片１６が第１パネル１の外側に重ねられるので、この突片１６が第１乃至第４パネル１〜４を四角筒状に形成する際の妨げとなり難い。
【００３９】
一対の下側外フラップ９，１０は、略同形状に形成されている。また、一対の下側外フラップ９，１０は、各々矩形状に形成されている。具体的には、一対の下側外フラップ９，１０は、第１外フラップ５及び第２外フラップ６と同様の外形を有する。
【００４０】
一対の下側内フラップ１１，１２は、略同形状に形成されている。また、一対の下側内フラップ１１，１２は、各々矩形状に形成されている。具体的には、一対の下側内フラップ１１，１２は、第１内フラップ７及び第２内フラップ８と同様の外形を有する。
【００４１】
＜組立手順＞
次に図２〜図４を参照して、当該包装箱用シートの組立手順について説明する。まず、第１パネル１を第２パネル２の内面に折り重ね、続いて第４パネル４を第３パネル３の内面に折り重ねる。このとき、図２に示すように、第１パネル１の左右方向の一方側端縁に連接される糊代部１３は第４パネル４の左右方向の他端側の内面に重ねられ、第４パネル４の左右方向の他端側端縁から延出する突片１６は第１パネル１の左右方向の一端側の外面に重ねられる。この状態で、糊代部１３を第４パネル４の内面に貼着することで第１パネル１の左右方向の一端側端縁及び第４パネル４の左右方向の他端側端縁が連結され、第１乃至第４パネル１〜４が無端状に接続される。
【００４２】
次に、図３に示すように、第１乃至第４パネル１〜４によって四角筒状部を形成した後、一対の下側内フラップ１１，１２を内側に折り曲げ、さらに一対の下側外フラップ９，１０を内側に折り曲げて底面部を組み立てる。さらに、破断容易線１４を破断することで上側部分１５及び突片１６を切り離す。なお、当該包装箱用シートは、糊代部１３及び突片１６が左右方向の反対側に形成されているので、上述のように第１乃至第４パネル１〜４を無端状に接続した際に突片１６が第１パネル１の外面に重ねられる。そのため、当該包装箱用シートは、上側部分１５及び突片１６の境界に形成される折り曲げ容易線１８を折り曲げなくても、第１乃至第４パネル１〜４を四角筒状に容易に形成することができ、組立作業性に優れる。
【００４３】
続いて、図４に示すように、上側部分１５及び突片１６を折り曲げ容易線１８で折り曲げて仕切り１７を形成し、この仕切り１７を上側部分１５を第２パネル２及び第４パネル４と平行になるように第１パネル１及び第３パネル３間に架け渡す。このとき、突片１６の下端が一対の下側外フラップ９，１０の内面に当接すると共に、突片１６の延出方向の両端が一対の下側内フラップ１１，１２間に収まることが好ましい。当該包装箱用シートは、かかる構成によると、仕切り１７を包装箱内に安定的に保持することができる。なお、仕切り１７を包装箱内に挿入した後は、包装箱内に所望の物品を収容した上、第１内フラップ７及び第２内フラップ８を内側に折り曲げ、さらに第１外フラップ５及び第２外フラップ６を内側に折り曲げることで天面部を組み立てればよい。
【００４４】
＜利点＞
当該包装箱用シートは、第１パネル１の左右方向の一方側端縁と第４パネル４の左右方向の他端側端縁とを連結することで四角筒状部を有する箱型に組み立て可能に構成されている。また、当該包装箱用シートは、第４パネル４の上縁から上方に延出する第２内フラップ８に左右方向に横断する破断容易線１４が形成されており、この破断容易線１４を破断することで切り離される切離片（第２内フラップの上側部分１５及び突片１６）によって仕切り１７を形成可能に構成されている。具体的には、当該包装箱用シートは、上記破断容易線１４によって第２内フラップ８の上側部分１５及び突片１６を切り離した上、この上側部分１５及び突片１６の境界を折り曲げることで、上記上側部分１５を包装箱組立状態における第１パネル１及び第３パネル３間に架け渡した状態で安定的に保持することができる。当該包装箱用シートは、このように第２内フラップ８に形成される破断容易線１４を破断した上、上記上側部分１５及び突片１６の境界を折り曲げるだけで容易に仕切り１７を形成することができる。また、当該包装箱用シートは、折り曲げ状態における突片１６の反力を利用して上側部分１５を包装箱内で安定的に保持することができるので、上記公報に記載の従来の仕切りのように包装箱内を４区画しなくてもよいので、仕切り１７の汎用性に優れる。
【００４５】
［その他の実施形態］
なお、本考案の包装箱用シートは、上記態様の他、種々の変更、改良を施した態様で実施することができる。例えば上記突片の形状は略矩形状に限られるものではなく、例えば半円状等であってもよい。
【００４６】
上記第２内フラップ及び突片の境界に形成される折り曲げ容易線は、リード罫線であることが好ましいが、例えばミシン目であってもよく、罫線であってもよい。
【００４７】
当該包装箱用シートは、一対の下側内フラップを内側に折り曲げ、さらに一対の下側外フラップを内側に折り曲げることで底面部が形成される必要はない。つまり、第１乃至第４パネルの下縁から下方に延出する複数の下側フラップの構成は、必要に応じて適宜設計可能であり、例えばワンタッチタイプ、アメリカンロックタイプ等の構成を採用することも可能である。
【００４８】
当該包装箱用シートは、第１パネル及び第３パネルの下縁から下方に延出する一対の下側外フラップ、並びに第２パネル及び第４パネルの下縁から下方に延出する一対の下側内フラップを備えなくてもよい。また、これら一対の下側外フラップ及び一対の下側内フラップを備える場合であっても、突片の延出方向長さ、及び一対の下側内フラップの延出方向長さの合計長さが第１パネルの左右方向長さより大きくてもよい。当該包装箱用シートは、突片の延出方向長さ、及び一対の下側内フラップの延出方向長さの合計長さが第１パネルの左右方向長さより大きい場合であっても、折り曲げ状態における突片の反力を利用して上側部分を包装箱内で安定的に保持することができる。
【００４９】
当該包装箱用シートは、糊代部が第４パネルの左右方向の他方側端縁に連接されていてもよい。当該包装箱用シートは、上記上側部分及び突片の境界に折り曲げ容易線が形成されているので、例えば糊代部が第４パネルの左右方向の他方側端縁に連接されている場合でも、この折り曲げ容易線で突片を折り曲げることで第１乃至第４パネルを四角筒状に形成することができる。
【００５０】
また、当該包装箱用シートは、第１乃至第４パネルの上下方向長さが第２フラップの延出方向長さ以上であってもよい。
【産業上の利用可能性】
【００５１】
以上のように、本考案の包装箱用シートは、汎用性が高い仕切りを比較的簡易な手順で形成することができるので、保管用、輸送用等の仕切り付き包装箱用シートとして適している。
【符号の説明】
【００５２】
１  第１パネル
２  第２パネル
３  第３パネル
４  第４パネル
５  第１外フラップ
６  第２外フラップ
７  第１内フラップ
８  第２内フラップ
９，１０  下側外フラップ
１１，１２  下側内フラップ
１３  糊代部
１４  破断容易線
１５  上側部分
１６  突片
１７  仕切り
１８  折り曲げ容易線
【図１】
0003205536.tif 000003
【図２】
0003205536.tif 000004
【図３】
0003205536.tif 000005
【図４】
0003205536.tif 000006